(57)【要約】  【課題】スタッキング可能な椅子において、座の強度及び製造容易性を確保しつつスタッキングピッチを小さくする。  【解決手段】左右１対の前脚１１、左右の前脚１１間を接続する前フレーム要素１４、左右１対の後脚１２、及び左右の後脚１２間を接続する後フレーム要素１６を有するフレーム１と、前記フレーム１の後フレーム要素１６及び前フレーム要素１４に支持させてなる座２と、前記フレーム１に支持させてなる背凭れ３とを具備するスタッキング可能な椅子Ｃにおいて、前記後フレーム要素１６から前方に突出させて設けた第１の舌片１６１と、前記座２の後端面２ａに開口させて該座２の厚さ寸法内に形成してなるとともに前記第１の舌片１６１に係り合い可能なスリット２ａ１とを係り合わせて前記座２を前記後フレーム要素１６に支持させるようにする。  【選択図】図７
2010094389.tif 000002
【特許請求の範囲】
【請求項１】
左右１対の前脚、前脚間を接続する前フレーム要素、左右１対の後脚、及び後脚間を接続する後フレーム要素を有するフレームと、前記フレームの後フレーム要素及び前フレーム要素に支持させてなる座と、前記フレームに支持させてなる背凭れとを具備するスタッキング可能な椅子であって、前記後フレーム要素から前方に突出させて設けた舌片と、前記座の後端面に開口させて該座の厚さ寸法内に形成してなるとともに前記舌片に係り合い可能なスリットとを係り合わせて前記座を前記後フレーム要素に支持させていることを特徴とする椅子。
【請求項２】
前記後フレーム要素から上方に突出させて設けた舌片と、前記背凭れの下端面に開口させて該背凭れの厚さ寸法内に形成してなるとともに前記舌片に係り合い可能なスリットとを係り合わせて背凭れを前記後フレーム要素に取り付けている請求項１記載の椅子。
【請求項３】
前記後フレーム要素を前記座と前記背凭れとの間から視認可能である請求項２記載の椅子。
【請求項４】
前記座と前記前フレーム要素との間に、前方から後方に向かう作用を座に与え座を前フレーム要素に向けて押圧する押圧手段を設け、この押圧手段から受ける押圧力により座を後フレーム要素に突き当てるようにしている請求項１、２又は３記載の椅子。
【請求項５】
前記舌片に切り起こし片を設けているとともに、前記座に、前記切り起こし片と係り合うことが可能な窓部を設けている請求項１、２、３又は４記載の椅子。
【請求項６】
前記座の後端部に、手を通過させることが可能な切欠き部を有する請求項１、２、３、４又は５記載の椅子。
【発明の詳細な説明】
【技術分野】
【０００１】
本発明は、会議場等で好適に使用されるスタッキング可能な椅子に関する。
【背景技術】
【０００２】
従来、会議場等で使用される椅子として、非使用時には収納スペースを節約すべく、前脚及び後脚を有するフレームに座及び背凭れを支持させ、左右の前脚間の距離を左右の後脚間の距離よりも短くし、スタッキングさせた状態で収納可能な構成の椅子が広く知られている（例えば、特許文献１を参照）。
【特許文献１】特願平９−２１５５４６号公報
【発明の開示】
【発明が解決しようとする課題】
【０００３】
ところで、特許文献１記載の構成においては、フレームの前脚の上端から後方に座枠側部を延伸させていて、この座枠側部により座を下方から支持するようにしている。しかし、このような椅子をスタッキングする際、椅子のスタッキングピッチは、座枠側部の厚さ寸法が大きい場合、座側枠部と座の厚さ寸法の和によって決定されるので、座枠側部の厚さ寸法を大きくとるとこのような椅子の収納効率が低下する。そこで、左右の後脚間を接続する後フレーム要素の厚さ寸法内に座を配し、この後フレーム要素に座の後端部を衝き当て、これらを接続する構成を採用することにより、このような椅子の厚さ寸法を抑制して収納効率の向上を図ることが考えられる。しかし、このような構成を採用するには、座の後端部を後フレーム要素に沿わせた状態でこれらを接続する必要があるが、このような椅子のフレーム及び座は全体を一体成形することが多く、座の後端部を後フレーム要素に沿わせるためには高い寸法精度が必要とし、製造が困難であるという問題が存在する。
【０００４】
本発明はこのような課題を解決することを目的とする。
【課題を解決するための手段】
【０００５】
すなわち、本発明に係る椅子は、以上に述べた課題を解決すべく、左右１対の前脚、前脚間を接続する前フレーム要素、左右１対の後脚、及び後脚間を接続する後フレーム要素を有するフレームと、前記フレームの後フレーム要素及び前フレーム要素に支持させてなる座と、前記フレームに支持させてなる背凭れとを具備するスタッキング可能な椅子であって、前記後フレーム要素から前方に突出させて設けた舌片と、前記座の後端面に開口させて該座の厚さ寸法内に形成してなるとともに前記舌片に係り合い可能なスリットとを係り合わせて前記座を前記後フレーム要素に支持させていることを特徴とする。
【０００６】
このようなものであれば、前記舌片と前記スリットとを係わり合わせて座を後フレーム要素に支持させることにより、座の後端部の形状を後フレーム要素に沿う形状にできる。すなわち、フレーム及び座の製造の際の高い寸法精度を必要とせずに座の後端部を後フレーム要素に沿わせることができ、このような椅子の製造を容易にできる。そして、前記スリットを座の厚さ寸法内に形成しているので、座の厚さ寸法内に後フレーム要素が位置するようにすれば、全体としての椅子の座の部分の厚さ寸法を抑制してスタッキングピッチを小さくすることができる。
【０００７】
このような椅子の背凭れの部分の厚さ寸法を抑制するには、前記後フレーム要素から上方に突出させて設けた舌片と、前記背凭れの下端面に開口させて該背凭れの厚さ寸法内に形成してなるとともに前記舌片に係り合い可能なスリットとを係り合わせて背凭れを前記後フレーム要素に取り付けているものが望ましい。このようなものであれば、背凭れを前記座と同様の構造で後フレーム要素に取り付けることができるからである。
【０００８】
特に、このような椅子の座と背凭れとの境界部の見栄えを整えるには、前記後フレーム要素を前記座と前記背凭れとの間から視認可能であるものが望ましい。
【０００９】
また、座をより確実にフレームに支持させるには、前記座と前記前フレーム要素との間に、前方から後方に向かう作用を座に与え座を前フレーム要素に向けて押圧する押圧手段を設け、この押圧手段から受ける押圧力により座を後フレーム要素に突き当てるようにしているものが好ましい。このようなものであれば、押圧手段から受ける押圧力と、座が後フレーム要素から受ける抗力とにより座を挟み込むようにして支持できるからである。
【００１０】
さらに、このような椅子の座のフレームに対する位置決めを確実に行えるようにするには、前記舌片に切り起こし片を設けているとともに、前記座に、前記切り起こし片と係り合うことが可能な窓部を設けているものが望ましい。このようなものであれば、前記切り起こし片と前記窓部とを係り合わせて座の前方への抜け止めを図ることができるからである。
【００１１】
このような椅子の把持及び運搬を容易に行えるようにするには、前記座の後端部に、手を通過させることが可能な切欠き部を有するものが望ましい。
【発明の効果】
【００１２】
本発明に係る椅子の構成によれば、前記舌片と前記スリットとを係り合わせて座を後フレーム要素に支持させることにより、座の後端部の形状を後フレーム要素に沿ったものにできる。すなわち、フレーム及び座の製造の際に高い寸法精度を必要とすることなく座の後端部の形状を後フレーム要素に沿わせることができるので、このような椅子の製造を容易にできる。そして、前記スリットを座の厚さ寸法内に形成しているので、座の厚さ寸法内に後フレーム要素が位置するようにすれば、座及び後フレーム要素の強度を確保しつつ、全体としての椅子の座の部分の厚さ寸法を抑制してスタッキングピッチを小さくし、収納効率の向上を図ることができる。
【発明を実施するための最良の形態】
【００１３】
以下、本発明の一実施形態について述べる。
【００１４】
本実施形態に係る椅子Ｃは、図１〜図３に示すように、フレーム１と、前記フレーム１に支持させてなる座２と、前記フレーム１に支持させてなる背凭れ３とを具備する。
【００１５】
前記フレーム１は、図１〜図７に示すように、左右１対の前脚１１、１１と、左右１対の後脚１２、１２と、前記前脚１１の下端部と前記後脚１２の下端部とを接続する左右１対のベース１３、１３と、前記左右１対の前脚１１、１１間を接続する前フレーム要素１４と、前記後脚１２、１２の上端から延伸させてそれぞれ設けた左右１対の背支桿１５、１５と、前記左右１対の後脚１２、１２の上端部間を接続する後フレーム要素１６と、前記前フレーム要素１４と前記後フレーム要素１６とを接続するとともに座２を載置させてなる左右１対の座受フレーム要素１７、１７とを具備する。本実施形態では、このフレーム１のうち、前記後フレーム要素１６、及び前記座受フレーム要素１７以外の部分は、１本の鋼材を屈曲させて一体に形成している。前記後フレーム要素１６は、両端部を前記左右の後脚１２の上端部にそれぞれ溶接により連結している。前記座受フレーム要素１７は、両端部を前記前フレーム要素１４及び後フレーム要素１６にそれぞれ溶接により連結している。また、前記後脚１２、１２間の距離を前記前脚１１、１１間の距離よりも大きくしてスタッキング可能に構成している。
【００１６】
前記ベース１３には、前記図１〜図５に示すように、前記樹脂製の接地部材１３１を別体に設けている。この接地部材１３１は、椅子Ｃの使用時には椅子Ｃを設置する空間の床面ないし地面である接地面に接するとともに、椅子Ｃをスタッキングさせる際には、他の椅子Ｃの接地部材１３１と接し、スタッキングピッチを規定する。
【００１７】
前記後フレーム要素１６は、図４〜図９に示すように、前方に突出する第１の舌片１６１及び上方に突出する第２の舌片１６２を有する。これら第１及び第２の舌片１６１、１６２は、いずれも後フレーム要素１６に溶接により連結したものである。また、前記第１の舌片１６１の中央部には、下方に突出する切り起こし部１６１ａを設けている。
【００１８】
一方、前記座２は、本実施形態では樹脂により全体を一体に成形したものである。この座２は、その厚さ寸法を前記後フレーム要素１６の直径よりわずかに薄く設定している。また、その後端面２ａには、図６、図７、及び図８に示すように、この座２の厚さ寸法内に形成してなるとともに前記第１の舌片１６１に係り合い可能なスリット２ａ１を開口させて設けている。さらに、この座２の下面には、前記スリット２ａ１に連通させて前記第１の舌片１６１の切り起こし部１６１ａに係り合い可能な窓部２ｂを設けている。この窓部２ｂの開口縁は、前記切り起こし部１６１ａの後端に係り合うようにしている。
【００１９】
また、この座２の幅方向中央部の後端部には、図１、図５、図６、及び図７に示すように、手を通過させることが可能な切欠き部２ｃを設けている。すなわち、この座２は、前記切欠き部２ｃに対応する幅方向位置では前記後フレーム要素１６と離間していて、その他の部位では前記後フレーム要素１６と略隙間なく接している。
【００２０】
加えて、この座２の前部には、図２、図３、及び図１０に示すように、下方に突出する垂下片２１を設けている。この垂下片２１は、前記前フレーム要素１４の前方に位置し、この前フレーム要素１４に接するようにしている。そして、前記図１０に示すように、これら垂下片２１と前フレーム要素１４との間には、前方から後方に向かう作用を座２に与え、座２を前フレーム要素１４に向けて押圧する押圧手段Ｆを設けている。また、この押圧手段Ｆから受ける押圧力により座２を後フレーム要素１６に突き当てるようにしている。具体的には、前記垂下片２１には雄ねじ部材２２を通過させることが可能なねじ通過孔２１ａを設けているとともに、前記前フレーム要素１４には前記雄ねじ部材２２をねじ止め可能な雌ねじ孔１４ａ１を設けている。そして、これらねじ通過孔２１ａと雌ねじ孔１４ａとを重合させた状態で前記雌ねじ孔１４ａに雄ねじ部材２２をねじ止めすると、雄ねじ部材２２の頭部２２１と前記前フレーム要素１４との間に発生する締着力により、座２が後方に向かう作用を受け、後フレーム要素１６に突き当たる。そして、この座２の底面には、前記座受フレーム要素１７の左右に位置するように対をなすリブ２３を２対設けていて、対をなすリブ２３間に前記座受フレーム要素１７を収納することにより、座２のフレーム１に対する幅方向の位置決めを行うようにしている。
【００２１】
また、前記背凭れ３も、本実施形態では樹脂により全体を一体に成形したものである。この背凭れ３の左右両端部には、図５に示すように、前記背支桿１５の先端部に径を小さくして設けた支持部１５１を挿入可能な支持穴３ａを設けている。一方、この背凭れ３の中間部の下端面３ｂには、同図に示すように、この背凭れ３の厚さ寸法内に形成してなるとともに前記第２の舌片１６２に係り合い可能なスリット３ｂ１を開口させて設けている。そして、図９に示すように、前記支持穴３ａに前記背支桿１５の支持部１５１を挿入するとともに、前記スリット３ｂ１に前記第２の舌片１６２を係り合わせることにより、この背凭れ３をフレーム１に取り付けるようにしている。なお、前記図９の（ａ）には幅方向両端部の前記スリット３ｂ１と前記第２の舌片１６２との係り合いの態様、同図の（ｂ）には幅方向中央部の前記スリット３ｂ１と前記第２の舌片１６２との係り合いの態様をそれぞれ示している。
【００２２】
ここで、前記座２及び前記背凭れ３を後フレーム要素１６に取り付けた状態で、座２と背凭れ３との間には略一定幅を有する隙間Ｓが形成されるようにしている。そして、この隙間Ｓから前記後フレーム要素１６が視認可能である。
【００２３】
このように構成した椅子Ｃのフレーム１に対する座２の取り付けは以下のようにして行う。
【００２４】
まず、座２の後端面２ａを後フレーム要素１６に対向させる。次いで、座２の後端面２ａのスリット２ａ１と前記後フレーム要素１６の第１の舌片１６１との幅方向及び高さ方向位置が略一致するようにし、前記第１の舌片１６１を前記スリット２ａ１内に挿入させるべく座２を後方に移動させる。その際、前記切り起こし部１６１ａは、一旦上方に弾性退避し、この切り起こし部１６１ａと窓部２ｂとの奥行き方向位置が一致した時点で下方に突出した状態に戻り、窓部２ｂの開口縁と対向する。ここで、前記第１の舌片１６１と前記スリット２ａ１とを係り合わせることにより座２の後端面２ａの形状は後フレーム要素１６に略沿う形状に弾性変形する。このようにして座２の前後方向の位置を仮決めした後、座受フレーム要素１７を座のリブ２３間に位置させる。そして、前記座２の垂下片２１のねじ通過孔２１ａと前記前フレーム要素１４の雌ねじ孔１４ａとを重合させ、前記雄ねじ部材２２を前記雌ねじ孔１４ａ１にねじ止めし、締着力により座２を後方に押圧する。
【００２５】
一方、このように構成した椅子Ｃのフレーム１に対する背凭れ３の取り付けは以下のようにして行う。
【００２６】
まず、前記背支桿１５の支持部１５１の先端部を支持穴３ａに挿入する。次いで、背凭れ３の下端面３ｂのスリット３ｂ１と前記後フレーム要素１６の第２の舌片１６２とを係り合わせ、前記第２の舌片１６２を前記スリット３ａ１内に収納させるべく背凭れ３を下方に移動させる。その際、背凭れ３の下端面３ｂが後フレーム要素１６に略沿う形状に弾性変形する。それから、そして、背凭れ３をさらに下方に移動させ、前記背支桿１５の支持部１５１を完全に支持穴３ａに挿入するとともに、前記第２の舌片１６２を前記スリット３ａ１内に完全に挿入させる。
【００２７】
以上に述べたように、本実施形態に係る椅子Ｃの構成によれば、前記後フレーム要素１６から前方に突出させて設けた第１の舌片１６１と、前記座２の後端面２ａに開口させて該座２の厚さ寸法内に形成してなるとともに前記第１の舌片１６１に係り合い可能なスリット２ａ１とを係り合わせて前記座２を前記後フレーム要素１６に支持させているので、前記第１の舌片１６１と前記スリット２ａ１とを係り合わせることにより座２の後端面２ａの形状を後フレーム要素１６に略沿う形状に弾性変形させ、座２の後端面２ａを後フレーム要素１６に略密着させるようにすることができる。すなわち、座２の後端面２ａを後フレーム要素１６に略密着させることができる構成を高い寸法精度を必要とせずに実現でき、このような椅子Ｃの製造を容易にできる。そして、前記スリット２ａ１を座２の厚さ寸法内に形成しているとともに、座２の厚さ寸法内に後フレーム要素１６が位置するので、座２及び後フレーム要素１６の強度を確保しつつ、全体としての椅子Ｃの厚さ寸法を抑制してスタッキングピッチを小さくすることができる。
【００２８】
また、前記後フレーム要素１６から上方に突出させて設けた第２の舌片１６２と、前記背凭れ３の下端面３ｂに開口させて該背凭れ３の厚さ寸法内に形成してなるとともに前記第２の舌片１６２に係り合い可能なスリット３ｂ１と係り合わせて背凭れ３を前記後フレーム要素１６に取り付けているので、前段で述べたような座２のフレーム１に対する取付構造と同様の構造により背凭れ３の下端部を同様に後フレーム要素１６に取り付けるようにできる。すなわち、背凭れ３の下端部の形状を後フレーム要素１６の形状に合わせて弾性変形させた状態で前記第２の舌片１６２と前記スリット３ｂ１とを係わり合わせ、背凭れ３の下端面３ｂを後フレーム要素１６に略密着させるようにすることができる。また、背凭れ３の強度を確保しつつ、背凭れ３部分の厚さ寸法を抑制することもできる。
【００２９】
さらに、座２と背凭れ３との間に略一定幅を有する隙間Ｓが形成されるようにし、前記後フレーム要素１６をこの隙間Ｓから視認可能にしているので、このような椅子Ｃの座２と背凭れ３との境界部の見栄えを整えることができる。
【００３０】
また、前記座２と前記前フレーム要素１４との間に、前方から後方に向かう作用を座２に与え、座２を前フレーム要素１４に向けて押圧する押圧手段Ｆを設け、この押圧手段Ｆから受ける押圧力により座２を後フレーム要素１６に突き当てるようにしているので、この押圧手段による押圧力と、後フレーム要素１６に突き当たった状態の座２が後フレーム要素１６から受ける抗力とを利用して、座２を押圧手段Ｆの雄ねじ部材２２の頭部２２１と後フレーム要素１６とにより挟み込むようにして支持できる。従って、座２をより確実にフレーム１に支持させることができる。
【００３１】
さらに、前記第１の舌片１６１に切り起こし部１６１ａを設けているとともに、前記座２に、前記切り起こし部１６１ａと係り合うことが可能な窓部２ｂを設けているので、前記切り起こし部１６１ａと前記窓部２ｂとを係り合わせて座２の前方への抜け止めを図ることができ、従って。このような椅子Ｃの座２のフレーム１に対する位置決めを確実に行うことができる。
【００３２】
そして、前記座２の後端部に、手を通過させることが可能な切欠き部２ｃを有するので、運搬の際には図１１に示すような態様で、スタッキング操作の際には図１２に示すような態様で椅子Ｃをそれぞれ把持することができ、このような椅子Ｃの把持及び運搬を容易に行うことができる。
【００３３】
なお、本発明は以上に述べた実施形態に限られない。
【００３４】
例えば、前記第２の舌片及び背凭れの下端面のスリットを省略し、背支桿と支持穴とを係わり合わせるのみの取付構造を採用してもよい。一方、前記第２の舌片にも上述した実施形態における第１の舌片と同様に切り起こし部を設け、背凭れ側にこの切り起こし部と係り合うことが可能な窓部又は凹部を設け、これら切り起こし部と窓部又は凹部とを係り合わせて背凭れと後フレーム要素とを相互に位置決めするようにしてもよい。
【００３５】
また、上述した実施形態では、背凭れと座との間に隙間を形成するようにしているが、背凭れと座とを略又は完全に隙間なく隣接させるようにしてもよい。
【００３６】
さらに、座の前部から、前フレーム要素に後方から衝き当たるとともに弾性力により座に後方に向かう作用を与える弾性片を垂下させて設け、この弾性片を利用して押圧手段を設けてもよい。この場合、弾性片の下端部から前方に突出して前フレーム要素に抱き着く抱着片を設けるとともに、この抱着片の前端から上方に突出させて前フレーム要素に前方から衝き当たる抜け止め片をさらに設け、前記弾性片、抱着片、及び抜け止め片により区成される空間内に前フレーム要素を配するようにするとよい。また、このような押圧手段を省略し、座と前フレーム要素とを座の上方又は下方からねじ等を用いて接続するようにしてもよい。
【００３７】
加えて、舌片の切り起こし部は省略し、例えば座に、前フレーム要素に前方から衝き当たる前記垂下片（以下第１の垂下片と称する）に加え、後方から衝き当たる第２の垂下片を座に設け、これら第１及び第２の垂下片により座の前後方向への移動を規制するようにしてもよい。
【００３８】
そして、座の後端部の切欠き部は省略してもよい。
【００３９】
その他、本発明の趣旨を損ねない範囲で種々に変更してよい。
【図面の簡単な説明】
【００４０】
【図１】本発明の一実施態様に係る椅子を示す斜視図。
【図２】同実施態様に係る椅子を示す正面図。
【図３】同実施態様に係る椅子を示す側面図。
【図４】同実施態様に係る椅子の座を取り外した状態を示す要部斜視図。
【図５】同実施態様に係る椅子を背凭れを取り外した状態を示す要部斜視図。
【図６】同実施態様に係る椅子の座の取付態様を示す斜視図。
【図７】同実施態様に係る椅子の座の後端部を示す底面図。
【図８】図７におけるＸ−Ｘ断端面図。
【図９】同実施態様に係る背凭れの後フレーム要素への取り付け箇所を示す縦断面図。
【図１０】図７におけるＹ−Ｙ断端面図。
【図１１】同実施態様に係る椅子の把持態様の一例を示す図。
【図１２】同実施態様に係る椅子の把持態様の一例を示す図。
【符号の説明】
【００４１】
１…フレーム
１１…前脚
１２…後脚
１４…前フレーム要素
１６…後フレーム要素
１６１…第１の舌片
１６２…第２の舌片
２…座
２ａ…座の後端面
２ａ１…スリット
３…背凭れ
３ｂ…背凭れの下端面
３ｂ１…スリット
【図１】
2010094389.tif 000003
【図２】
2010094389.tif 000004
【図３】
2010094389.tif 000005
【図４】
2010094389.tif 000006
【図５】
2010094389.tif 000007
【図６】
2010094389.tif 000008
【図７】
2010094389.tif 000009
【図８】
2010094389.tif 000010
【図９】
2010094389.tif 000011
【図１０】
2010094389.tif 000012
【図１１】
2010094389.tif 000013
【図１２】
2010094389.tif 000014